(57)【要約】【課題】機器側でユーザーがジョブの実行や機器の設定を行っている際に、外部の装置から機器の設定変更を禁止してしまうと、緊急で設定を変更したい場合でも即座に処理を行えない。また、機器側でユーザーが操作中であっても外部装置からの設定変更を無条件で反映してしまうと、機器側で操作中のユーザーが意図しない設定でジョブが実行されてしまう可能性がある。【解決手段】外部から機器の設定変更指示があった際に、該設定変更が機器側の操作部で操作中の処理に影響する場合にのみ機器側の操作部に設定が変更された旨のメッセージを表示する。【選択図】  図６
2015145063.tif 000002
【特許請求の範囲】
【請求項１】
機器本体の操作部（０１１２）から機器の設定を行う設定手段（５０１）、
機器とネットワークを介して接続された情報処理装置（１０２）から機器の設定変更指示を行うリモート設定手段（５０２）、
該ネットワークを介して接続された情報処理装置から設定変更指示があったか否かを判断する設定有無判断手段（Ｓ０６０２）、
前記設定有無判断手段において設定変更ありと判断された際に、該リモート設定手段によって指示された設定変更が、機器側で操作中の処理に影響するか否かを判断する影響判断手段（Ｓ０６０６）、
前記リモート設定手段で指示された設定変更を反映する設定反映手段（Ｓ０６０８、Ｓ０６１２）、
前記影響判断手段において、影響すると判断された際に限り、操作部に設定が変更された旨のメッセージを表示するメッセージ表示手段（Ｓ０６１０、０７０４）を有することを特徴とする画像形成装置。
【請求項２】
操作部に設定が変更された旨のメッセージを表示すると共に（Ｓ０９１０、１００３）、該設定を変更する設定画面に遷移する為の遷移ボタンを表示する設定画面遷移手段（Ｓ０９１４、１００４）を有することを特徴とする請求項１に記載の画像形成装置。
【請求項３】
操作部に設定が変更された旨のメッセージを表示すると共に（Ｓ１１１０、１２０３）、該設定変更をもとの設定値に戻す為のボタンを表示する設定リセット手段（Ｓ１１１４、１２０４）を有することを特徴とする請求項１に記載の画像形成装置。
【請求項４】
機器本体の操作部（０１１２）から機器の設定を行う設定手段（５０１）、
機器とネットワークを介して接続された情報処理装置（１０２）から機器の設定変更指示を行うリモート設定手段（５０２）、
該ネットワークを介して接続された情報処理装置から設定変更指示があったか否かを判断する設定有無判断手段（Ｓ１３０２）、
前記設定有無判断手段において設定変更ありと判断された際に、前記リモート設定手段によって指示された設定変更が、機器側で操作中の処理に影響するか否かを判断する影響判断手段（Ｓ１３０６）、
前記影響判断手段において、影響すると判断された際は、前記リモート設定手段によって指示された設定変更内容を機器内部の記憶領域に蓄積する設定変更保存手段（Ｓ１３０８）、
機器側の操作が終了した際に前記設定変更保存手段によって蓄積された設定変更を機器に反映する設定反映手段（Ｓ１３１４）を有することを特徴とする画像形成装置（２０５）。
【発明の詳細な説明】
【技術分野】
【０００１】
本発明は、画像形成装置の設定変更を画像形成装置とネットワークを介して接続された情報処理装置上から行う場合に関して、画像形成装置側で操作中のユーザーに対し、設定変更を通知する為の制御に関するものである。
【背景技術】
【０００２】
複数人で共有して使用している機器や、遠隔地に配置している機器においては、機器の設定を、機器とネットワークを介して接続された外部の装置から変更する手段が提供されている。このような構成においては、外部から機器の設定変更を行う際に、機器側でユーザーがジョブの実行や機器の設定を行っている可能性がある。
【０００３】
外部装置からの設定変更時の処理に関しては、特許文献１のように外部装置から機器の設定変更が行われた際にその後続けて関連項目の設定変更が外部装置から行われることを考慮し、関連項目を使用した処理の実行を一定時間禁止するという技術が知られている。
【０００４】
また、機器側でユーザーがジョブの実行や機器の設定変更をしている際は外部装置からの設定変更を禁止し、外部装置から機器の設定を変更している際は機器側で設定変更を禁止することで、双方から同時に設定されることを防ぐ方法も知られている。
【先行技術文献】
【特許文献】
【０００５】
【特許文献１】特開２０１０−８６２５０号公報
【発明の概要】
【発明が解決しようとする課題】
【０００６】
機器側でユーザーがジョブの実行や機器の設定を行っている際に、外部の装置から機器の設定変更を禁止してしまうと、セキュリティに係わる項目等、管理者が緊急で設定を変更したい場合でも即座に処理を行えない。
【０００７】
また、機器側でユーザーが操作中に外部装置からの設定変更を無条件で反映してしまうと、機器側で操作中のユーザーが意図しない設定でジョブが実行されてしまう可能性がある。
【課題を解決するための手段】
【０００８】
本発明の構成は、
機器本体の操作部（０１１２）から機器の設定を行う設定手段（５０１）、
機器とネットワークを介して接続された情報処理装置（１０２）から機器の設定変更指示を行うリモート設定手段（５０２）、
該ネットワークを介して接続された情報処理装置から設定変更指示があったか否かを判断する設定有無判断手段（Ｓ０６０２）、
前記設定有無判断手段において設定変更ありと判断された際に、該リモート設定手段によって指示された設定変更が、機器側で操作中の処理に影響するか否かを判断する影響判断手段（Ｓ０６０６）、
前記リモート設定手段で指示された設定変更を反映する設定反映手段（Ｓ０６０８、Ｓ０６１２）、
前記影響判断手段において、影響すると判断された際に限り、操作部に設定が変更された旨のメッセージを表示するメッセージ表示手段（Ｓ０６１０、０７０４）を有することを特徴とする画像形成装置である。
【発明の効果】
【０００９】
本発明によれば、機器側でユーザーが操作中に外部装置から機器の設定が変更された際に、機器側のユーザーが行っている操作に関連する設定項目が変更された時のみ通知を行うことで、ユーザーの操作を必要以上に妨げることなく、必要な設定変更の情報のみ通知することが可能。
【図面の簡単な説明】
【００１０】
【図１】画像形成装置の実施形態の構成を示すブロック図である。
【図２】操作部の模式図である。
【図３】タッチパネル部３０１の一例を示す図である。
【図４】実施形態におけるシステム全体のソフトウェア構成を説明する図である。
【図５】実施形態における機器の設定変更画面例を示す図である。
【図６】外部から設定変更指示があった際に操作パネルにメッセージを表示する際の流れを示す図である。
【図７】図６の流れにおける画面表示例を示す図である。
【図８】外部から変更指示のあった設定が操作中画面に影響するかを判断する手段の例を示す図である。
【図９】外部から設定変更指示があった際に操作パネルにメッセージと設定画面への遷移ボタンを表示する際の流れを示す図である。
【図１０】図９の流れにおける画面表示例を示す図である。
【図１１】外部から設定変更指示があった際に操作パネルにメッセージと設定変更を元に戻すボタンを表示する際の流れを示す図である。
【図１２】図１１の流れにおける画面表示例を示す図である。
【図１３】外部から設定変更指示があった際に関連画面が閉じられるまで設定変更を行わない場合の流れを示す図である。
【図１４】図１３の流れにおける画面表示例を示す図である。
【発明を実施するための形態】
【００１１】
以下、本発明を実施するための最良の形態について図面を用いて説明する。
【００１２】
図１は本発明における画像形成装置２０５の実施形態の構成を示すブロック図である。なお、本実施の形態では、コピー機能、プリント機能、ファクシミリ機能を有する画像形成装置２０５を例に説明する。
【００１３】
画像形成装置２０５は、図１に示すように、画像入力デバイスであるスキャナ０１７０および画像出力デバイスであるプリンタ０１９５が接続されるとともに、ＬＡＮ０１１１および公衆回線（ＷＡＮ）０１５１が接続され、コピー機能、ＬＡＮ０１１１を介して外部から供給されるデータをプリント出力するプリンタ機能、公衆回線（ＷＡＮ）０１５１を介したファクシミリ機能を含む通信機能を有する複合装置からなり、該複合装置は、装置全体の制御を行うとともに、画像情報やデバイス情報の入出力に関する制御を行うコントローラユニット０１００を備える。
【００１４】
コントローラユニット０１００は、ＲＯＭ０１０３に格納されているブートプログラムに基づきシステムを起動し、このシステム上でＨＤＤ（ハードディスク装置）０１０４に格納されている各種制御プログラムを読み出してＲＡＭ０１０２をワークエリアとして所定の処理を実行するＣＰＵ０１０１を有する。ＨＤＤ０１０４には、上記各種プログラムが格納されるとともに、画像データが格納される。
【００１５】
ＣＰＵ０１０１には、ＲＡＭ０１０２、ＲＯＭ０１０３、ＨＤＤ０１０４とともに、操作部Ｉ／Ｆ（操作部インタフェース）０１０６、ＬＡＮＩ／Ｆ（ＬＡＮインタフェース）０１１０、モデム０１５０、イメージバスＩ／Ｆ（イメージバスインタフェース）０１０５がシステムバス０１０７を介して接続されている。
【００１６】
操作部Ｉ／Ｆ０１０６は、操作部０１１２とのインタフェースであって、操作部０１１２に表示する画像データの操作部０１１２への転送、操作部０１１２における操作入力により発生した信号のＣＰＵ０１０１への転送などを行う。操作部０１１２は、画像形成に関する各機能における現在の設定状態、各機能に関する設定情報を入力するための情報入力画面などを表示するための表示部、各機能に対する設定情報を入力するキーなどを含む入力部などを有する。
【００１７】
ＬＡＮＩ／Ｆ０１１０は、ＬＡＮ０１１１に接続され、ＬＡＮ０１１１を介した情報の入出力を行う。モデム０１５０は、公衆回線（ＷＡＮ）０１５１に接続され、公衆回線０１５１を介した情報の入出力を行う。イメージバスＩ／Ｆ０１０５は、画像バス０１０８とシステムバス０１０７とを接続し、データ構造を変換するするバスブリッジからなる。画像バス０１０８は、画像データを高速で転送可能なＰＣＩバスまたはＩＥＥＥ１３９４規格に従うバスから構成される。
【００１８】
画像バス０１０８には、ＲＩＰ（ラスタイメージプロセッサ）０１６０、デバイスＩ／Ｆ（デバイスインタフェース）０１２０、スキャナ画像処理部０１８０、プリンタ画像処理部０１９０、画像回転部０１３０および画像圧縮部０１４０が接続されている。
【００１９】
ＲＩＰ０１６０は、ＰＤＬコードをビットマップイメージに展開する。デバイスＩ／Ｆ０１２０は、画像入出力デバイスであるスキャナ０１７０やプリンタ０１９５とコントローラユニット０１００とを接続し、画像データの同期系/非同期系の変換を行う。スキャナ画像処理部０１８０は、入力画像データに対し補正、加工、編集を行う。プリンタ画像処理部０１９０は、プリント出力画像データに対して、プリンタの補正、解像度変換などを行う。画像回転部０１３０は画像データの回転処理を行う。画像圧縮部０１４０は、多値画像データに対してはＪＰＥＧ、二値画像データに対してＪＢＩＧ、ＭＭＲ、ＭＨの圧縮伸張処理を行う。
【００２０】
このように、コントローラユニット０１００のＣＰＵ０１０１は、各制御プログラムに基づきシステムバス０１０７に接続される各種デバイスとのアクセスを総括的に制御するとともに、デバイスＩ／Ｆ０１２０を介してスキャナ０１７０から画像情報を読み込み、読み込んだ画像情報に対して所定の  処理を施した後に該画像情報をデバイスＩ／Ｆ０１２０を介してプリンタ０１９５に出力するなどの制御を行う。
【００２１】
次に、図２は画像形成装置２０５の操作部０１１２の一例を示す図であり、キー入力部２０２とタッチパネル部２０１からなっている。また、図３はタッチパネル部２０１の詳細を示す模式図である。以下に詳細を説明する。
【００２２】
図３ではタッチパネル部２０１に表示される画面３０１の一例を説明する。タッチパネル部２０１は、ＬＣＤ（Liquid Crystal Display：液晶表示部）表示器とその上に貼られた透明電極からなるタッチパネルディスプレイを有する。そして、ＬＣＤに表示されるキー相当の部分の透明電極を指で触れると、それを検知して別の操作画面を表示するなどの処理を実行するよう予めプログラムされている。
【００２３】
図３において、コピーアイコン３０２は、コピー動作の操作画面に遷移する為のアイコンである。送信アイコン３０３は、ファックスやＥ−ｍａｉｌ送信など送信（ｓｅｎｄ）動作を指示する操作画面に遷移する為のアイコンである。保存アイコン３０４は、ジョブを格納する記憶手段にジョブを入出力操作する為の操作画面に遷移する為のアイコンである。上記アイコン３０２〜３０４のいずれかを選択することで、それぞれの操作モードの画面に遷移することができる。
【００２４】
図４は、システム全体のソフトウェア構成を説明するための図である。図４に示す各機能部は、画像形成装置２０５／情報処理装置１０２のそれぞれに備えられているＣＰＵが制御プログラムを実行することにより実現される。
【００２５】
画像形成装置２０５は、装置内Ｗｅｂサーバー４１０を備えている。装置内Ｗｅｂサーバー４１０は、ＨＴＴＰレスポンス部４１１を含む。ＨＴＴＰレスポンス部４１１は、ＬＡＮ０１１１上の情報処理装置１０２上で動作する情報処理装置ブラウザ１０４からのＨＴＴＰプロトコルによる要求に応えてレスポンスを返す。
【００２６】
情報処理装置１０２上の情報処理装置ブラウザ１０４は、通信部４２１、解析部４２２、及び画面表示部４２３を含む。通信部４２１は、ＨＴＴＰプロトコルに従って装置内Ｗｅｂサーバー４１０と通信する。具体的には、通信部４２１は、情報処理装置１０２上の情報処理装置ブラウザ１０４で表示する操作画面のコンテンツを装置内Ｗｅｂサーバー４１０に対して要求し、受信する。
【００２７】
図５は画像形成装置２０５のタッチパネル部２０１に表示される設定画面の例５０１  と、画像形成装置２０５のネットワークを介して接続された情報処理装置１０２上に表  示される画像形成装置２０５設定用画面５０２の例である。
【００２８】
情報処理装置１０２上に表示される設定用画面５０２では、画像形成装置２０５のタッチパネル部２０１に表示される設定画面５０１で設定可能な項目と同等の項目に対して設定変更を行うことが可能である。
【００２９】
（実施例１）
図６は情報処理装置１０２から画像形成装置２０５の操作部０１１２のタッチパネル部２０１に表示されている画面に関連する設定変更指示があった際に、前記タッチパネル部２０１に、設定が変更された旨のメッセージを表示する際の流れを示す図である。
【００３０】
まず画像形成装置２０５内のコントローラユニット０１００のＣＰＵ０１０１が、画像形成装置２０５とネットワークを介して接続された情報処理装置１０２から画像形成装置２０５に対して設定変更指示があったか否かの判断を行う（Ｓ０６０２）。ＣＰＵ０１０１が設定変更指示は無いと判断した際にはＣＰＵ０１０１はＳ０６０２の処理を繰り返す。
【００３１】
Ｓ０６０２でＣＰＵ０１０１が設定変更指示があったと判断した際にはＣＰＵ０１０１は操作部０１１２が操作中か否かの判断を行う（Ｓ０６０４）。Ｓ０６０４でＣＰＵ０１０１が操作部０１１２は操作中でないと判断した際は、ＣＰＵ０１０１は設定変更を反映し処理を終了する（Ｓ０６１２）。Ｓ０６０４でＣＰＵ０１０１が操作部０１１２は操作中であると判断した際は、ＣＰＵ０１０１は前記設定変更が現在操作部０１１２で行っている操作に影響があるか否かの判断を行う（Ｓ０６０６）。Ｓ０６０６でＣＰＵ０１０１が現在操作部０１１２で行っている操作に影響が無いと判断した際は、ＣＰＵ０１０１は設定変更を反映し処理を終了する（Ｓ０６１２）。Ｓ０６０６でＣＰＵが現在操作部０１１２で行っている操作に影響があると判断した際は、ＣＰＵ０１０１はまず設定変更を反映する（Ｓ０６０８）。
【００３２】
次にＣＰＵ０１０１は操作部０１１２のタッチパネル部２０１に外部から設定が変更された旨のメッセージを表示し処理を終了する（Ｓ０６１０）。
【００３３】
図７は情報処理装置１０２から画像形成装置２０５の設定変更指示が行われた際に、タッチパネル部２０１にメッセージを表示する際の情報処理装置１０２側の画面例と画像形成装置２０５側の画面例を示す図である。
【００３４】
０７０１は情報処理装置１０２側に表示される画像形成装置２０５のデバイス名称設定変更画面である。ここで、情報処理装置側画面０７０１によって、画像形成装置２０５に対しデバイスの名称設定変更指示があった際に、タッチパネル部２０１でＦＡＸやＥ−ｍａｉｌの送信を行う送信画面０７０２が開かれていた場合を考える。
【００３５】
まず情報処理装置１０２からのデバイス名称設定変更指示に従い、ＣＰＵ０１０１は画像形成装置２０５のデバイス名称設定を変更する。その際、ＣＰＵ０１０１は画像形成装置２０５のタッチパネル部２０１に表示されている画面の確認を行い、前記設定変更が前記画面の操作に影響するか否かの判断を行う。前記デバイス名称設定変更は送信画面０７０２には影響しない為、ＣＰＵ０１０１はタッチパネル部２０１に通知は行わない。
【００３６】
次に、タッチパネル部２０１で送信画面０７０２が開かれている際に、画像形成装置２０５の送信に関連する設定（送信結果レポート設定）変更指示が情報処理装置側画面０７０３によって行われた場合を考える。
【００３７】
まず情報処理装置１０２からの設定変更指示に従い、ＣＰＵ０１０１は画像形成装置２０５の設定を変更する。その際、ＣＰＵ０１０１は画像形成装置２０５のタッチパネル部２０１に表示されている画面の確認を行い、前記設定変更が前記画面の操作に影響するか否かの判断を行う。前記設定変更は送信画面０７０２の操作に影響する為、ＣＰＵ０１０１はタッチパネル部２０１に外部から設定が変更された旨のメッセージを表示する（０７０４）。
【００３８】
ここでタッチパネル部２０１に表示されている画面の操作に影響する設定変更とは、設定変更前と変更後で、前記画面操作による処理実行時の動作結果が変わってしまう変更のことである。例えば、送信を行う為の画面がタッチパネル部２０１で開かれている際に、送信先の制限設定や送信結果レポートの設定が変更された場合があげられる。また、他の例としてはコピーを行う為の画面がタッチパネル部２０１で開かれている際に排紙トレイの設定や印字に関する設定が変更された場合等があげられる。
【００３９】
前記画面操作に影響するかしないかの判断を行う方法としては、例えば図８に示すように設定項目０８０３と該設定項目の設定変更が影響する画面０８０４を関連付けたテーブル０８０１を予め用意する方法がある。情報処理装置１０２から設定変更指示があった際にこのテーブル０８０１を参照することで判断を行っても良い。また、他の方法としては図８の０８０２に示すように、各項目の設定変更を行う処理の中でそれぞれ関連する画面とのチェックを行うようにしても良い。
【００４０】
（実施例２）
図９は情報処理装置１０２から画像形成装置２０５の操作部０１１２のタッチパネル部２０１で表示中の画面に関連する設定変更指示があった際に、タッチパネル部２０１にメッセージと設定変更画面への遷移用のボタンを表示する際の流れを示す図である。ここで、Ｓ０９０２〜Ｓ０９１２は図６のＳ０６０２〜Ｓ０６１２と同じである為、ここでは説明を省略する。
【００４１】
Ｓ０９１０で操作部０１１２のタッチパネル部２０１上に確認メッセージを表示した後、画像形成装置２０５内のコントローラユニット０１００のＣＰＵ０１０１は設定画面への遷移ボタンが押下されたか否かの判断を行う（Ｓ０９１４）。ＣＰＵ０１０１が遷移ボタンが押下されていないと判断した際ＣＰＵ０１０１はそのまま処理を終了する。Ｓ０９１４でＣＰＵ０１０１が遷移ボタンが押下されたと判断した際は、ＣＰＵ０１０１は設定画面で設定変更指示があったか否かの判断を行う（Ｓ０９１６）。ＣＰＵ０１０１が設定変更指示が無いと判断した場合、ＣＰＵ０１０１はそのまま処理を終了し、設定変更指示があったと判断した場合、ＣＰＵ０１０１は設定変更の反映を行い処理を終了する（Ｓ０９１８）。
【００４２】
図１０は操作部０１１２のタッチパネル部２０１に情報処理装置１０２から設定が変更された旨の確認メッセージと設定変更画面への遷移ボタンが表示される際の画面例を示す図である。
【００４３】
タッチパネル部２０１で送信の画面１００１が開かれている際に情報処理装置１０２から送信に関する設定変更が行われた場合に、ＣＰＵ０１０１は設定変更に関する確認メッセージ１００３と共に、設定画面への遷移ボタン１００４を表示する。タッチパネル部２０１から設定画面への遷移ボタン１００４の押下指示を受けるとＣＰＵ０１０１は設定画面１００２を表示する。
【００４４】
（実施例３）
図１１は情報処理装置１０２から、画像形成装置２０５のタッチパネル部２０１で表示中の画面に関連する設定変更指示があった際に、タッチパネル部２０１にメッセージを表示すると共に設定を元に戻すボタンを表示する際の流れを示す図である。
【００４５】
ここで、Ｓ１１０２〜Ｓ１１１２は図６のＳ０６０２〜Ｓ０６１２と同じである為ここでは説明を省略する。
【００４６】
Ｓ１１１０で操作部０１１２のタッチパネル部２０１上に確認メッセージを表示した後、画像形成装置２０５内のコントローラユニット０１００のＣＰＵ０１０１は設定を元に戻す為のリセットボタン１２０４が押下されたか否かの判断を行う（Ｓ１１１４）。ＣＰＵ０１０１がリセットボタン１２０４が押下されていないと判断した際はそのまま処理を終了する。ＣＰＵ０１０１がリセットボタン１２０４が押下されたと判断した際は、ＣＰＵ０１０１は情報処理装置１０２から変更された設定を元に戻した後処理を終了する（Ｓ１１１６）。
【００４７】
図１２は操作部０１１２のタッチパネル部２０１に情報処理装置１０２から設定が変更された旨の確認メッセージと、変更された設定を元に戻すリセットボタンが表示される際の画面例を示す図である。
【００４８】
タッチパネル部２０１で送信の画面１００１が開かれている際に情報処理装置１０２から送信に関する設定変更が行われた場合に、ＣＰＵ０１０１は設定変更に関する確認メッセージ１２０３と共に、設定変更を元に戻すリセットボタン１２０４を表示する。タッチパネル部２０１からリセットボタン１２０４の押下指示を受けるとＣＰＵ０１０１は情報処理装置１０２から変更された設定値を元の設定に戻す。
【００４９】
（実施例４）
図１３は情報処理装置１０２から、画像形成装置２０５のタッチパネル部２０１に表示されている画面に関連する設定変更指示があった際に、前記画面が閉じられてから設定変更を反映する際の流れを示す図である。
【００５０】
まず画像形成装置２０５内のコントローラユニット０１００のＣＰＵ０１０１が、画像形成装置２０５とネットワークを介して接続された情報処理装置１０２から画像形成装置２０５に対して設定変更指示があったか否かの判断を行う（Ｓ１３０２）。ＣＰＵ０１０１が設定変更指示は無いと判断した際はＳ１３０２の処理を繰り返す。
【００５１】
Ｓ１３０２でＣＰＵ０１０１が設定変更指示があったと判断した際にはＣＰＵ０１０１は操作部０１１２が操作中か否かの判断を行う（Ｓ１３０４）。Ｓ１３０４でＣＰＵ０１０１が操作部０１１２は操作中でないと判断した際は、ＣＰＵ０１０１は設定変更を反映し処理を終了する（Ｓ１３１４）。Ｓ１３０４でＣＰＵ０１０１が操作部０１１２は操作中であると判断した際は、ＣＰＵ０１０１は前記設定変更が現在操作部０１１２で行っている操作に影響があるか否かの判断を行う（Ｓ１３０６）。Ｓ１３０６でＣＰＵ０１０１が現在操作部０１１２で行っている操作に影響が無いと判断した際は、ＣＰＵ０１０１は設定変更を反映し処理を終了する（Ｓ１３１４）。Ｓ１３０６でＣＰＵが現在操作部０１１２で行っている操作に影響があると判断した際は、ＣＰＵ０１０１は前記設定変更内容を画像形成装置２０５内の記憶領域に一時保存する（Ｓ１３０８）。
次にＣＰＵ０１０１はタッチパネル部２０１で該当画面の操作が終了したか否かの判断を行う（Ｓ１３１０）。Ｓ１３１０でＣＰＵ０１０１が画面操作が終了していないと判断した際ＣＰＵ０１０１はＳ１３１０の画面操作が終了したか否かの判断を繰り返す。Ｓ１３１０でＣＰＵ０１０１が画面操作が終了したと判断した際はＣＰＵ０１０１は画像形成装置２０５内の記憶領域から設定変更内容を呼び出す（Ｓ１３１２）。
【００５２】
次にＣＰＵ０１０１はＳ１３１２で呼び出した設定変更を画像形成装置２０５に反映し処理を終了する（Ｓ１３１４）。
【００５３】
図１４は情報処理装置１０２から画像形成装置２０５に対し設定変更指示が行われた際に、タッチパネル部２０１で関連画面が閉じられてから設定変更を反映する際の情報処理装置１０２側の画面例と画像形成装置２０５側の画面例を示す図である。
【００５４】
１４０２は情報処理装置１０２側に表示される画像形成装置２０５の送信に関連する設定（送信結果レポート設定）変更画面である。情報処理装置側画面１４０２によって送信に関連する設定変更指示があった際に、画像形成装置２０５内のコントローラユニット０１００のＣＰＵ０１０１は画像形成装置２０５のタッチパネル部２０１に表示されている画面の確認を行う。次にＣＰＵ０１０１は前記設定変更が前記画面の操作に影響するか否かの判断を行う。ＣＰＵ０１０１は画像形成装置２０５のタッチパネル部２０１に表示されている画面が送信の画面１４０１であるなら、前記情報処理装置１０２からの設定変更は反映せずに画像形成装置２０５内の記憶領域に設定変更内容を一時保存する（１４０３）。画像形成装置２０５のタッチパネル部２０１において送信の画面１４０３が閉じられ、送信以外の画面１４０４が表示されたタイミングでＣＰＵ０１０１は前記設定変更内容を呼び出し、設定変更の反映を行う。
【符号の説明】
【００５５】
２０５  画像形成装置０１７０  スキャナ
０１９５  プリンタ
０１１１  ＬＡＮ
０１５１  公衆回線（ＷＡＮ）
０１００  コントローラユニット
【図１】
2015145063.tif 000003
【図２】
2015145063.tif 000004
【図３】
2015145063.tif 000005
【図４】
2015145063.tif 000006
【図５】
2015145063.tif 000007
【図６】
2015145063.tif 000008
【図７】
2015145063.tif 000009
【図８】
2015145063.tif 000010
【図９】
2015145063.tif 000011
【図１０】
2015145063.tif 000012
【図１１】
2015145063.tif 000013
【図１２】
2015145063.tif 000014
【図１３】
2015145063.tif 000015
【図１４】
2015145063.tif 000016